(57)【要約】【課題】上下に回動するヘッドレストを、簡単かつ迅速に枕支持杆に取り付けることができる椅子のヘッドレスト装置を提供する。【解決手段】ヘッドレスト１１の後部シェル５０に設けた上下方向に延びる長孔５５と、この長孔５５より幅広の板ばね材５６を貫通させて、有頭軸４９を枕支持杆の上端部前面に設けた側面視凸型円弧状の枕受け面４８ａに止着することによって、後部シェル５０の側面視凹型円弧状の嵌合面５４を、同形状の枕受け面４８ａに嵌合し、かつ板ばね材５６の後面に上下方向に適宜の間隔で設けた複数の凹部５６ｄの中の１つを、この凹部に対応する後部シェル５０の側面視凸型円弧状の前面に設けたころ５８に圧接させる。【選択図】        図１１
2005034322.tif 000002
【特許請求の範囲】
【請求項１】
背凭れの上部から起立する枕支持杆の上端部前面に、前方に向かって突出する側面視凸型円弧状の枕受け面を設けるとともに、ヘッドレストにおける後部シェルの後面にも、前記枕受け面とほぼ同一曲率の側面視凹型円弧状の嵌合面を設け、この後部シェルに有頭軸の軸部が挿通しうる上下方向を向く長孔を設け、前記有頭軸の軸部を、前記枕受け面と同一曲率中心を有する後面を備えるとともに、前後方向に弾性変形可能で、前記長孔より幅の広い板ばね材を貫通させ、かつ前記長孔に挿通させて、前記枕受け面に止着することにより、前記後部シェルの嵌合面を前記枕受け面に上下方向に摺動可能として嵌合し、さらに、前記板ばね材における前記後部シェルの前面に対向する後面に、複数の凹部を上下方向に適宜の間隔で設け、また前記後部シェルの前面を、前記板ばね材後面と曲率中心を同一とするとともに、この後部シェル前面の前記凹部に対向する箇所に、この凹部と係合する凸部を設け、前記板ばね材の凹部を前記後部シェルの凸部に圧接させることにより、ヘッドレストを、前記枕受け面に沿って上下方向に首振り可能として、前記枕支持杆の上端部前面に装着したことを特徴とする椅子のヘッドレスト装置。
【請求項２】
板ばね材の後面を、上下方向に連続する波形面とした請求項１記載の椅子のヘッドレスト装置。
【請求項３】
後部シェル前面における凸部を、この後部シェル前面に設けた孔に一部が嵌合し、かつ前記板ばね材の凹部に摺接しながら回転するころとした請求項１または２に記載の椅子のヘッドレスト装置。
【請求項４】
有頭軸を、板ばね材と長孔を貫通して、枕受け面に止着されるボルトとした請求項１〜３のいずれかに記載の椅子のヘッドレスト装置。
【請求項５】
板ばね材の有頭軸で押さえ付けられる部分と、凹部が設けられた部分との間に、狭隘部を設けた請求項１〜４のいずれかに記載の椅子のヘッドレスト装置。
【請求項６】
枕支持杆の上端部を左右方向に二股状に分岐し、各分岐部の上端部に枕受け面と有頭軸とを設け、かつそれに対応して、ヘッドレストにおける後部シェルに長孔を、またこの後部シェルの後面に嵌合面を、それぞれ左右に１対ずつ設けた請求項１〜５のいずれかに記載の椅子のヘッドレスト装置。
【発明の詳細な説明】
【０００１】
【発明の属する技術分野】
本発明は、椅子のヘッドレスト装置、特に、背凭れの上部より起立する枕支持杆の上端部に、ヘッドレストを上下方向に首振り可能として取り付ける取付構造に関する。
【０００２】
【従来の技術】
従来のこの種の装置としては、背凭れの上部より起立する枕支持杆の上端部に、ヘッドレストを左右方向を向く軸をもって枢着し、かつこの軸回りに、ばね等によりヘッドレストの上下方向の回動に抵抗力を付与する手段を設けたものが一般的である（例えば特許文献１参照）。
【０００３】
【特許文献１】
特開２００１−３１４２６８号公報
【０００４】
【発明が解決しようとする課題】
しかし、上述のような従来の装置では、抵抗力付与手段の構造が複雑であるとともに、軸着作業が繁雑であり、組み付けに時間がかかる等の問題がある。
【０００５】
本発明は、従来の技術が有する上記のような問題点に鑑み、ヘッドレストを簡単かつ迅速に枕支持杆に取り付けることができるとともに、構造が簡単で、安価に製造でき、しかもヘッドレストを安定して支持しうるようにした椅子のヘッドレスト装置を提供することを目的としている。
【０００６】
【課題を解決するための手段】
本発明によると、上記課題は次のようにして解決される。
（１）背凭れの上部から起立する枕支持杆の上端部前面に、前方に向かって突出する側面視凸型円弧状の枕受け面を設けるとともに、ヘッドレストにおける後部シェルの後面にも、前記枕受け面とほぼ同一曲率の側面視凹型円弧状の嵌合面を設け、この後部シェルに有頭軸の軸部が挿通しうる上下方向を向く長孔を設け、前記有頭軸の軸部を、前記枕受け面と同一曲率中心を有する後面を備えるとともに、前後方向に弾性変形可能で、前記長孔より幅の広い板ばね材を貫通させ、かつ前記長孔に挿通させて、前記枕受け面に止着することにより、前記後部シェルの嵌合面を前記枕受け面に上下方向に摺動可能として嵌合し、さらに、前記板ばね材における前記後部シェルの前面に対向する後面に、複数の凹部を上下方向に適宜の間隔で設け、また前記後部シェルの前面を、前記板ばね材後面と曲率中心を同一とするとともに、この後部シェル前面の前記凹部に対向する箇所に、この凹部と係合する凸部を設け、前記板ばね材の凹部を前記後部シェルの凸部に圧接させることにより、ヘッドレストを、前記枕受け面に沿って上下方向に首振り可能として、前記枕支持杆の上端部前面に装着する。
【０００７】
（２）上記（１）項において、板ばね材の後面を、上下方向に連続する波形面とする。
【０００８】
（３）上記（１）または（２）項において、後部シェル前面における凸部を、この後部シェル前面に設けた孔に一部が嵌合し、かつ前記板ばね材の凹部に摺接しながら回転するころとする。
【０００９】
（４）上記（１）〜（３）項のいずれかにおいて、有頭軸を、板ばね材と長孔を貫通して、枕受け面に止着されるボルトとする。
【００１０】
（５）  上記（１）〜（４）項のいずれかにおいて、板ばね材の有頭軸で押さえ付けられる部分と、凹部が設けられた部分との間に、狭隘部を設ける。
【００１１】
（６）上記（１）〜（５）項のいずれかにおいて、枕支持杆の上端部を左右方向に二股状に分岐し、各分岐部の上端部に枕受け面と有頭軸とを設け、かつそれに対応して、ヘッドレストにおける後部シェルに長孔を、またこの後部シェルの後面に嵌合面を、それぞれ左右に１対ずつ設ける。
【００１２】
【発明の実施の形態】
以下、本発明の実施の形態を、添付図面を参照して説明する。
図１〜図１１は、本発明の一実施形態を備える椅子を示す。
【００１３】
図１〜図３に示すように、この椅子は、脚（１）によって支持された支基（２）に、座（３）と背凭れ（４）とが互いに連動して後傾し得るようにして装着されている。
【００１４】
背凭れ（４）は、前方を向く水平部（６ａ）（６ａ）の前端部が支基（２）に左右方向を向く軸（５）をもって枢着された側面視Ｌ字状をなす左右１対の背凭れ支持杆（６）（６）と、この背凭れ支持杆（６）（６）における水平部（６ａ）（６ａ）の後端から起立する起立部（６ｂ）（６ｂ）の上端同士を連結する左右方向を向く上部フレーム（７）と、両背凭れ支持杆（６）（６）における起立部の上部と下部との４個所に取り付けられ、着座者の背を直接受けるネット材よりなる背当部材（８）とからなっている。
【００１５】
なお、背凭れ（４）を、背凭れ支持杆（６）（６）と上部フレーム（７）とが、厚肉の背当部材（８）内に一体的に埋設されたものとしてもよい。
【００１６】
この実施形態では、背凭れ（４）における上部フレーム（７）に、ヘッドレスト装置（９）が取り付けられている。
ヘッドレスト装置（９）は、下端部が上部フレーム（７）に左右方向を向く軸回りに角度調節可能として枢着され、かつ長手方向に伸縮可能としたほぼ上下方向を向く枕支持杆（１０）の上端部に、ヘッドレスト（１１）を、左右方向を向く軸回りに角度調節可能として枢着したものよりなっている。
【００１７】
図４〜図８に示すように、枕支持杆（１０）は、下端部が上部フレーム（７）に枢着され、ほぼ上方を向くとともに、前面（側面）に縦長方形の開口（１２）が設けられた平面視ほぼ三角形状の支持筒（１３）と、この支持筒（１３）内に上方より摺動自在に嵌合され、かつ上端部にヘッドレスト支持部（１４）が形成されるとともに、上記開口（１２）に対向する面に、被係合部である左右方向を向く複数の凹溝（１５）が上下多段状に設けられた昇降杆（１６）と、上記開口（１２）を閉塞するように支持筒（１３）の前面に着脱自在に設けられ、かつ昇降杆（１６）の複数の凹溝（１５）に選択的に弾性係合することにより、昇降杆（１６）を所望の高さに保持しうる弾性変形可能な係合部である左右方向を向く丸棒状の突条（１７）を有する閉塞部材（１８）とを備えている。
【００１８】
支持筒（１３）の下端部は、左右方向に逆Ｖ字状の二股状をなして分岐し、両分岐部（１９）（１９）の下端部には、左右方向を向く筒部（２０）（２０）がそれぞれ設けられている。
【００１９】
各筒部（２０）は、上部フレーム（７）に止めねじ（２１）をもって固着された左右１対の支持部材（支持部）（２２）（２２）の内側面に、左右方向を向く軸（２３）をもって枢着されている。
【００２０】
図４に示すように、この軸（２３）は、拡径鍔部（２４）の両側に、雄ねじ部（２５）（２６）を有し、かつ長い方の雄ねじ部（２６）の基部の外周面にスパナ掛け用の１対の平削面（２７）が形成された鍔付ボルトにより形成されている。
【００２１】
一方の雄ねじ部（２５）は、支持部材（２２）を貫通して、その先端部に螺合する袋ナット（２８）を締付けることにより、支持部材（２２）に、他方の雄ねじ部（２６）が互いに内方を向くようにして、固着されている。
【００２２】
他方の雄ねじ部（２６）には、左右の筒部（２０）の内面における中間部に設けられた内向き鍔部（２９）の中央孔（３０）が挿通されるとともに、拡径鍔部（２４）と内向き鍔部（２９）との間、及び内向き鍔部（２９）と、雄ねじ部（２６）に螺合した締め付け手段をなす袋ナット（３１）との間に、弾性体である１個または複数個の皿ばね（３２）と１個または複数個の摩擦板（３３）とからなる抵抗力付与手段（３４）をそれぞれ介在させて、袋ナット（３１）を締め付けることにより、支持筒（１３）の軸（２３）まわりの回動に所要の抵抗力を付与しうるようになっている。この抵抗力は、袋ナット（３１）の締め付け量を調節することにより、調節することができる。
【００２３】
なお、図４に示す例では、筒部（２０）の内向き鍔部（２９）より外側の抵抗力付与手段（３４）は、１個の皿ばね（３２）と３個の摩擦板（３３）とからなるものとし、また、内向き鍔部（２９）より内側の抵抗力付与手段（３４）は、２個の皿ばね（３２）と２個の摩擦板（３３）とからなるものとしてある。
【００２４】
各支持部材（２２）の内側面における偏心部には、軸（２３）と平行に突出する側面視円弧状の凸部（３５）が一体的に形成されており、それに対向する筒部（２０）の外端面には、円周方向の長さを凸部（３５）の同方向の長さより大とした円弧状の凹部（３６）が設けられ、凹部（３６）に凸部（３５）を嵌合することにより、支持筒（１３）における軸（２３）まわりの回動角度を、所要の範囲に規制しうるようにしてある。
【００２５】
なお、凸部（３５）を筒部（２０）側に設け、かつ凹部（３６）を支持部材（２２）側に設けてもよい。
【００２６】
図５〜図８に示すように、支持筒（１３）の横断面形状は、後部中央に、前方に向かって９０°の挾角をもって平面視Ｖ字状に拡開する頂角部を配設した直角二等辺三角形状とし、それに対向する昇降杆（１６）の後面を、支持筒（１３）の後部の前面にほぼ補形をなす形状とすることにより、昇降杆（１６）が支持筒（１３）内を、ねじれが生じることなく、常に円滑に上下動しうるようにしてある。
【００２７】
支持筒（１３）における後部中央の前面には、下端から上端よりやや下方の位置まで至る上下方向を向く溝条（３７）が設けられており、それに対応する昇降杆（１６）の下端後部には、常時は上記溝条（３７）内に嵌合し、昇降杆（１６）を予め定めた位置まで上昇させたとき、溝条（３７）の上端に係合して、昇降杆（１６）のそれ以上の上昇を阻止するようにした外向きの係合爪（３８）が設けられている。
【００２８】
この係合爪（３８）を、昇降杆（１６）の内方に向けて弾性変形可能なように、昇降杆（１６）と一体的に形成することにより、これを内方に弾性変形させて、昇降杆（１６）を支持筒（１３）から上方に抜き出したり、または逆に差し込んだりすることができる。
【００２９】
昇降杆（１６）を支持筒（１３）から抜き出すには、開口（１２）から閉塞部材（１８）を外し、開口（１２）に指を挿入して、溝条（３７）の上端に係合している係合爪を、内方に弾性撓曲させて、容易に係合を解除させればよい。
【００３０】
閉塞部材（１８）は、縦長の方形板状をなし、その下端部を、支持筒（１３）の前面における開口（１２）の下縁部の内側に挿入し、かつ上端部に設けたボス部（３９）を、支持筒（１３）の前面における開口（１２）の上部に突設した突軸（４０）に嵌合し、かつ突軸（４０）の前端に止着した止めねじ（４１）の頭部（４１ａ）で、ボス部（３９）を突軸（４０）から抜け止めし、さらに、中位部の両側より後方に向けて延設した左右１対の外向き係止爪（４２）を、支持筒（１３）における開口（１２）の中位部両側面に設けた係合溝（４３）に嵌合係止することにより、支持筒（１３）の前面に、開口（１２）を閉塞するようにして取り付けられている。
【００３１】
閉塞部材（１８）の中央部には、上下方向を向く互いに平行な２条のスリット（４４）（４４）が設けられ、両スリット（４４）（４４）間に可撓片（４５）が形成されている。
【００３２】
可撓片（４５）の上端部には、薄肉とした易撓曲片（４６）が設けられ、その直下の可撓片（４５）の上部後面に、上述の横向き丸棒状の突条（１７）が後方に向かって突出するようにして設けられている。
【００３３】
この可撓片（４５）が前方に弾性撓曲することにより、突条（１７）が、昇降杆（１６）の複数の凹溝（１５）に選択的に弾性係合して、昇降杆（１６）を段階的な所望の高さに保持することができるのである。
【００３４】
図５及び図９〜図１１に示すように、昇降杆（１６）の上端部は、左右方向に開きかつ前方を向く二股Ｖ字状に形成し、各分岐部（４７）の前端には、短寸の横向き軸部（４８）と、その前面中央に突設した有頭軸（４９）とからなるヘッドレスト支持部（１４）がそれぞれ形成されている。横向き軸部（４８）の前面は、前方に向かって突出する側面視凸形円弧状の枕受け面（４８ａ）をなしている。
【００３５】
ヘッドレスト（１１）は、ほぼ倒立二等辺三角形状の後部シェル（５０）の前面に、クッション材（５１）と表装材（５２）とを前面に張着したほぼ同形の前部シェル（５３）を、着脱自在に取り付けたものよりなり、後部シェル（５０）の後面には、枕受け面（４８ａ）とほぼ同一曲率の側面視凹型円弧状の左右１対の嵌合面（５４）（５４）が形成されている。また、後部シェル（５０）におけるこの嵌合面（５４）と表裏をなす前面は、嵌合面（５４）と曲率中心を同じくする円弧面（５０ａ）としてある。円弧面（５０ａ）には、有頭軸（４９）の軸部（４９ａ）が挿通しうるようにした、上下方向を向く左右１対の長孔（５５）が設けられている。左右の長孔（５５）（５５）間の間隔は、左右の有頭軸（４９）（４９）間の間隔と同一である。
【００３６】
図１２〜図１６に示すように、有頭軸（４９）は、軸部（４９ａ）と拡径頭部（４９ｂ）とからなるボルトで、軸部（４９ａ）は枕受け面（４８ａ）の法線の方向を向いている。有頭軸（４９）は、全体として正面視ほぼ矩形で、枕受け面（４８ａ）と曲率中心を同じくする曲面状の板ばね材（５６）と、長孔（５５）とを貫通して、枕受け面（４８ａ）の中心部に挿入されたナット（５７）に止着されている。
【００３７】
板ばね材（５６）は、後部シェル（５０）に設けた長孔（５５）より横幅が広いため、有頭軸（４９）を止着すると、板ばね材（５６）を介して、後部シェル（５０）の嵌合面（５４）は、枕受け面（４８ａ）に一定の圧力で当接する。この後、前部シェル（５３）を後部シェル（５０）に取付けて、ヘッドレスト（１１）の組み立てが完成する。
【００３８】
板ばね材（５６）は、有頭軸（４９）の拡径頭部（４９ｂ）に押さえ付けられる取付部（５６ａ）と狭隘部（５６ｂ）、ならびに回動調節部（５６ｃ）からなり、回動調整部（５６ｃ）の後面は、左右に延びる凹条（５６ｄ）と凸条（５６ｅ）が上下方向に交互に連続する側面視波形面となっている。回動調節部（５６ｃ）はそれ自身が弾性を有するが、取付部（５６ａ）との間に狭隘部（５６ｂ）を設けたことにより、より前後方向に弾性変形しやすくなっている。
【００３９】
後部シェル（５０）における回動調節部（５６ｃ）に対応する箇所には、ころ受け孔（５０ｂ）が設けられ、このころ受け孔（５０ｂ）には円柱状のころ（５８）が、その一部が埋設されるようにして装着されている。なお、ころ受け孔（５０ｂ）に嵌るころ（５８）は、対向する凹条（５６ｄ）に嵌合しうる円柱形状の突起で代替することもできる。また、回動調節部（５６ｃ）ところ（５８）は、取付部（５６ａ）の両側に設けることもできる。
【００４０】
有頭軸（４９）を枕受け面（４８ａ）に止着すると、取付部（５６ａ）が枕受け面（４８ａ）側に押さえ付けられることにより、回動調節部（５６ｃ）がころ（５８）に圧接する。この際、ころ（５８）は、回動調節部（５６ｃ）の波形面に摺接しながら適宜回転することにより、凹条（５６ｄ）がころ（５８）と落ち着きよく圧接するように、回動調節部（５６ｃ）を誘導する。
【００４１】
また、ヘッドレスト（１１）を横向き軸部（４８）を中心として上下方向に回動させると、後部シェル（５０）は長孔（５５）の上下の範囲内で有頭軸（４９）に対して相対的に移動する。すなわち、後部シェル（５０）に嵌め込まれたころ（５８）が、上下に隣接する凹条（５６ｄ）に一段ずつ歩進的に弾性係合し、ヘッドレスト（１１）の回動操作に節度感のある抵抗力を付与することができる。このとき、板ばね材（５６）の狭隘部（５６ｂ）は、ころ（５８）が回動調節部（５６ｃ）の凸条（５６ｅ）を前方に押圧しながら乗り越える際、回動調節部（５６ｃ）が前方に弾性的に変形しやすいようにする機能を果たす。なお、板ばね材（５６）の取付部（５６ａ）は、狭隘部（５６ｂ）および回動調節部（５６ｃ）とは別の部材とすることもできる。
【００４２】
この実施形態によると、解除レバー等を操作することなく、枕支持杆（１０）を前後方向に起倒させたり、ヘッドレスト（１１）を枕支持杆（１０）に対して回動させたりして、ヘッドレスト（１１）の位置と向きとを、着座者の体型や着座姿勢に応じて、適時に簡単に最適な状態にすることができる。また、ヘッドレスト（１１）の取り付けも、有頭軸（４９）を二股に分かれた昇降杆（１６）の上端部に一本ずつ締結するだけで、簡単に行うことができる。
【００４３】
【発明の効果】
請求項１記載の発明によると、ヘッドレストの後部シェルに設けた上下方向に延びる長孔とこの長孔より幅広の板ばね材を貫通させて、有頭軸を枕支持杆の上端部前面に設けた側面視凸型円弧状の枕受け面に止着することによって、後部シェルの側面視凹型円弧状の嵌合面を、同形状の枕受け面に嵌合し、かつ板ばね材の後面に上下方向に適宜の間隔で設けた複数の凹部の中の１つを、この凹部に対応する後部シェルの側面視凸型円弧状の前面に設けた凸部に圧接させることにより、ヘッドレストの装着をきわめて簡単に行なうことができるとともに、ヘッドレスト回動の際の抵抗力付与手段を簡単に形成することができる。
また、ヘッドレストを、わずかの外力により、妄りに上下に回動しないように、安定して支持することができる
【００４４】
また、請求項１〜４記載の発明によると、ヘッドレストの回動操作に節度感を持たせることができるとともに、ヘッドレストを複数の位置で安定して支持することができる。
【００４５】
請求項５記載の発明によると、係合片の弾性変形の程度が増し、より円滑にヘッドレストを回動させることができる。
【００４６】
請求項６記載の発明によると、ヘッドレストを、左右２個所で、より安定して支持することができる。
【図面の簡単な説明】
【図１】本発明の一実施形態を備える椅子の正面図である。
【図２】同じく、側面図である。
【図３】同じく、平面図である。
【図４】図１のＩＶ−ＩＶ線に沿う横断平面図である。
【図５】図３のＶ−Ｖ線に沿う拡大縦断側面図である。
【図６】図５ＶＩ−ＶＩ線に沿う断面図である。
【図７】図５のＶＩＩ−ＶＩＩ線に沿う断面図である。
【図８】図５のＶＩＩＩ−ＶＩＩＩ線に沿う縦断正面図である。
【図９】図５のＩＸ−ＩＸ線に沿う横断平面図である。
【図１０】図９のＸ−Ｘ線に沿う縦断正面図である。
【図１１】図９のＸＩ−ＸＩ線に沿う縦断側面図である。
【図１２】係合片を後部シェルに圧接させて取付ける様子を示す、要部の分解斜視図である。
【図１３】後部シェルに圧接させて取付けられた係合片を示す、要部の斜視図である。
【図１４】後部シェルに圧接させて取付けられた係合片を示す正面図である。
【図１５】図１４のＸＶ−ＸＶ線に沿う断面図である。
【図１６】図１４のＸＶＩ−ＸＶＩ線に沿う断面図である。
【符号の説明】
（１）脚
（２）支基
（３）座
（４）背凭れ
（５）軸
（６）支持杆
（６ａ）水平部
（６ｂ）起立部
（７）上部フレーム
（８）背当部材
（９）ヘッドレスト装置
（１０）枕支持杆
（１１）ヘッドレスト
（１２）開口
（１３）支持筒
（１４）ヘッドレスト支持部
（１５）凹溝（被係合部）
（１６）昇降杆
（１７）突条（係合部）
（１８）閉塞部材
（１９）分岐部
（２０）筒部
（２１）止めねじ
（２２）支持部材（支持部）
（２３）軸
（２４）拡径鍔部
（２５）（２６）雄ねじ部
（２７）平削面
（２８）袋ナット
（２９）内向き鍔部
（３０）中央孔
（３１）袋ナット（締め付け手段）
（３２）皿ばね
（３３）摩擦板
（３４）抵抗力付与手段
（３５）凸部
（３６）凹部
（３７）溝条
（３８）係合爪
（３９）ボス部
（４０）突軸
（４１）止めねじ
（４１ａ）頭部
（４２）外向き係止爪
（４３）係合溝
（４４）スリット
（４５）可撓片
（４６）易撓曲片
（４７）分岐部
（４８）横向き軸部
（４８ａ）枕受け面
（４９）有頭軸
（４９ａ）軸部
（４９ｂ）拡径頭部
（５０）後部シェル
（５０ａ）円弧面
（５０ｂ）ころ受け孔
（５１）クッション材
（５２）表装材
（５３）前部シェル
（５４）嵌合面
（５５）長孔
（５６）板ばね材
（５６ａ）取付部
（５６ｂ）狭隘部
（５６ｃ）回動調節部
（５６ｄ）凹条
（５６ｅ）凸条
（５７）ナット
（５８）ころ
【図１】
2005034322.tif 000003
【図２】
2005034322.tif 000004
【図３】
2005034322.tif 000005
【図４】
2005034322.tif 000006
【図５】
2005034322.tif 000007
【図６】
2005034322.tif 000008
【図７】
2005034322.tif 000009
【図８】
2005034322.tif 000010
【図９】
2005034322.tif 000011
【図１０】
2005034322.tif 000012
【図１１】
2005034322.tif 000013
【図１２】
2005034322.tif 000014
【図１３】
2005034322.tif 000015
【図１４】
2005034322.tif 000016
【図１５】
2005034322.tif 000017
【図１６】
2005034322.tif 000018